(57)【要約】【課題】箔が転写された用紙から箔が剥がれることを防止または抑制できる画像形成システムおよび制御プログラムを提供する。【解決手段】画像形成システム１００は、給紙部２１０、判断部３８０および画像形成部３７０を有する。給紙部２１０は、箔が転写された用紙Ｓを供給する。判断部３８０は、上記箔と用紙Ｓとの接着状況に応じて、上記箔の表面をコーティングする必要があるか否かを判断する。画像形成部３７０は、判断部３８０により上記箔の表面をコーティングする必要があると判断された場合、クリアトナーを使用して上記箔の表面上にトナー層ＴＬを形成することにより、上記箔の表面をコーティングする。【選択図】図１
2019025688.tif 000002
【特許請求の範囲】
【請求項１】
箔が転写された用紙を供給する給紙部と、
前記箔と前記用紙との接着状況に応じて、前記箔の表面をコーティングする必要があるか否かを判断する判断部と、
前記判断部により前記箔の表面をコーティングする必要があると判断された場合、クリアトナーを使用して前記箔の表面上にトナー層を形成することにより、前記箔の表面をコーティングする画像形成部と、
を有する、画像形成システム。
【請求項２】
前記箔は、接着用トナーにより前記用紙に接着されている、請求項１に記載の画像形成システム。
【請求項３】
前記画像形成部は、
前記トナー層が前記箔の表面と前記用紙の表面とに跨るように前記箔をコーティングする、請求項１または２に記載の画像形成システム。
【請求項４】
前記判断部は、
前記接着状況として、前記箔の表面積、前記箔の幅、前記用紙の種類および周辺環境の少なくともいずれかに基づいて、前記用紙に対する前記箔の接着強度を推定する、請求項１〜３のいずれか１項に記載の画像形成システム。
【請求項５】
前記判断部は、
前記接着状況として、前記用紙に対する後処理の内容に基づいて、前記用紙に対する前記箔の剥がれ易さを推定する、請求項１〜３のいずれか１項に記載の画像形成システム。
【請求項６】
前記箔の面積に対する前記トナー層の面積をユーザーに設定させるコーティング条件設定部をさらに有する、請求項１〜５のいずれか１項に記載の画像形成システム。
【請求項７】
前記箔の表面をコーティングするか否かをユーザーに設定させるコーティング実施設定部をさらに有する、請求項１〜６のいずれか１項に記載の画像形成システム。
【請求項８】
前記判断部により表面をコーティングする必要がないと判断される箔に対しても前記トナー層を形成して、前記用紙内において前記箔の表面の光沢を合せるか否かをユーザーに設定させるコーティング実施設定部をさらに有する、請求項１〜６のいずれか１項に記載の画像形成システム。
【請求項９】
前記用紙の種類および周辺環境に応じて、前記トナー層が形成される領域のサイズを変更するコーティング範囲変更部をさらに有する、請求項１〜５、７、８のいずれか１項に記載の画像形成システム。
【請求項１０】
前記箔の種類に応じて、前記箔の表面をコーティングするか否かを判断するコーティング実施判断部をさらに有する、請求項１〜９のいずれか１項に記載の画像形成システム。
【請求項１１】
前記用紙上の前記箔のコーティングが必要な領域と原稿画像が形成される領域とが重なる場合、前記領域が重なる部分を前記コーティングが必要な領域から除外するコーティング除外部をさらに有する、請求項１〜１０のいずれか１項に記載の画像形成システム。
【請求項１２】
前記画像形成部は、複数枚の用紙に対して連続的に前記箔のコーティングを行い、
箔の表面がコーティングされる１枚目の用紙については、前記用紙の種類ごとの位置ずれ特性に基づいて前記トナー層の位置ずれ補正を実施し、前記用紙に後続する２枚目以降の用紙については、既に箔の表面がコーティングされた用紙を画像読取部により読み取った画像を検査し、検査結果に基づいて前記トナー層の位置ずれ補正を実施する位置ずれ補正部をさらに有する、請求項１〜１１のいずれか１項に記載の画像形成システム。
【請求項１３】
前記コーティング条件設定部は、
前記箔の形状とは異なる前記トナー層の形状をユーザーに設定させる、請求項６に記載の画像形成システム。
【請求項１４】
前記画像形成部は、
前記箔の表面積が所定の面積よりも大きい場合、前記箔の表面の中心部を除いたエッジ部から前記用紙の表面にかけてコーティングする、請求項３に記載の画像形成システム。
【請求項１５】
箔が転写された用紙を供給する手順（ａ）と、
前記箔と前記用紙との接着状況に応じて、前記箔の表面をコーティングする必要があるか否かを判断する手順（ｂ）と、
前記手順（ｂ）において前記箔の表面をコーティングする必要があると判断された場合、クリアトナーを使用して前記箔の表面上にトナー層を形成することにより、前記箔の表面をコーティングする手順（ｃ）と、
を画像形成装置に実行させる制御プログラム。
【発明の詳細な説明】
【技術分野】
【０００１】
本発明は、画像形成システムおよび制御プログラムに関する。
【背景技術】
【０００２】
商業印刷の分野では、箔を使用して形成された文字や図柄等を用紙に転写する技術が知られている。印刷物に箔を使用することにより、通常のカラートナーを使用した印刷では得ることが難しい金属的な色合いや手触りを実現できる。
【０００３】
これに関連して、たとえば、下記特許文献１には、トナーを接着剤として使用して、箔を用紙に接着することにより、箔を用紙に転写する技術が開示されている。
【０００４】
しかしながら、特許文献１の技術では、用紙に転写された箔の大きさ、箔が用紙に転写されるときの温度や湿度等の周辺環境、用紙の種類等の諸条件によっては、用紙に対する箔の接着力が不足し、箔が剥がれ易くなるおそれがある。
【先行技術文献】
【特許文献】
【０００５】
【特許文献１】特許第５９６６５９３号明細書
【発明の概要】
【発明が解決しようとする課題】
【０００６】
本発明は、上記問題に鑑みてなされたものである。したがって、本発明の目的は、箔が転写された用紙から箔が剥がれることを防止または抑制できる画像形成システムおよび制御プログラムを提供することである。
【課題を解決するための手段】
【０００７】
本発明の上記目的は、下記の手段によって達成される。
【０００８】
（１）箔が転写された用紙を供給する給紙部と、前記箔と前記用紙との接着状況に応じて、前記箔の表面をコーティングする必要があるか否かを判断する判断部と、前記判断部により前記箔の表面をコーティングする必要があると判断された場合、クリアトナーを使用して前記箔の表面上にトナー層を形成することにより、前記箔の表面をコーティングする画像形成部と、を有する、画像形成システム。
【０００９】
（２）前記箔は、接着用トナーにより前記用紙に接着されている、上記（１）に記載の画像形成システム。
【００１０】
（３）前記画像形成部は、前記トナー層が前記箔の表面と前記用紙の表面とに跨るように前記箔をコーティングする、上記（１）または（２）に記載の画像形成システム。
【００１１】
（４）前記判断部は、前記接着状況として、前記箔の表面積、前記箔の幅、前記用紙の種類および周辺環境の少なくともいずれかに基づいて、前記用紙に対する前記箔の接着強度を推定する、上記（１）〜（３）のいずれか１つに記載の画像形成システム。
【００１２】
（５）前記判断部は、前記接着状況として、前記用紙に対する後処理の内容に基づいて、前記用紙に対する前記箔の剥がれ易さを推定する、上記（１）〜（３）のいずれか１つに記載の画像形成システム。
【００１３】
（６）前記箔の面積に対する前記トナー層の面積をユーザーに設定させるコーティング条件設定部をさらに有する、上記（１）〜（５）のいずれか１つに記載の画像形成システム。
【００１４】
（７）前記箔の表面をコーティングするか否かをユーザーに設定させるコーティング実施設定部をさらに有する、上記（１）〜（６）のいずれか１つに記載の画像形成システム。
【００１５】
（８）前記判断部により表面をコーティングする必要がないと判断される箔に対しても前記トナー層を形成して、前記用紙内において前記箔の表面の光沢を合せるか否かをユーザーに設定させるコーティング実施設定部をさらに有する、上記（１）〜（６）のいずれか１つに記載の画像形成システム。
【００１６】
（９）前記用紙の種類および周辺環境に応じて、前記トナー層が形成される領域のサイズを変更するコーティング範囲変更部をさらに有する、上記（１）〜（５）、（７）、（８）のいずれか１つに記載の画像形成システム。
【００１７】
（１０）前記箔の種類に応じて、前記箔の表面をコーティングするか否かを判断するコーティング実施判断部をさらに有する、上記（１）〜（９）のいずれか１つに記載の画像形成システム。
【００１８】
（１１）前記用紙上の前記箔のコーティングが必要な領域と原稿画像が形成される領域とが重なる場合、前記領域が重なる部分を前記コーティングが必要な領域から除外するコーティング除外部をさらに有する、上記（１）〜（１０）のいずれか１つに記載の画像形成システム。
【００１９】
（１２）前記画像形成部は、複数枚の用紙に対して連続的に前記箔のコーティングを行い、箔の表面がコーティングされる１枚目の用紙については、前記用紙の種類ごとの位置ずれ特性に基づいて前記トナー層の位置ずれ補正を実施し、前記用紙に後続する２枚目以降の用紙については、既に箔の表面がコーティングされた用紙を画像読取部により読み取った画像を検査し、検査結果に基づいて前記トナー層の位置ずれ補正を実施する位置ずれ補正部をさらに有する、上記（１）〜（１１）のいずれか１つに記載の画像形成システム。
【００２０】
（１３）前記コーティング条件設定部は、前記箔の形状とは異なる前記トナー層の形状をユーザーに設定させる、上記（６）に記載の画像形成システム。
【００２１】
（１４）前記画像形成部は、前記箔の表面積が所定の面積よりも大きい場合、前記箔の表面の中心部を除いたエッジ部から前記用紙の表面にかけてコーティングする、上記（３）に記載の画像形成システム。
【００２２】
（１５）箔が転写された用紙を供給する手順（ａ）と、前記箔と前記用紙との接着状況に応じて、前記箔の表面をコーティングする必要があるか否かを判断する手順（ｂ）と、前記手順（ｂ）において前記箔の表面をコーティングする必要があると判断された場合、クリアトナーを使用して前記箔の表面上にトナー層を形成することにより、前記箔の表面をコーティングする手順（ｃ）と、を画像形成装置に実行させる制御プログラム。
【発明の効果】
【００２３】
本発明によれば、用紙から剥がれ易いと推定される箔がクリアトナーによりコーティングされるので、箔が用紙から剥がれることを防止または抑制できる。
【図面の簡単な説明】
【００２４】
【図１】一実施形態の画像形成システムの概略構成を例示する図である。
【図２】図１に示す給紙装置の概略構成を例示するブロック図である。
【図３】図１に示す画像形成装置の概略構成を例示するブロック図である。
【図４】図１に示す制御部が有する機能部を例示するブロック図である。
【図５】図１に示す箔押し装置の概略構成を例示するブロック図である。
【図６】図１に示す後処理装置の概略構成を例示するブロック図である。
【図７】ユーザー端末における原稿作成を例示する模式図である。
【図８】一実施形態における画像形成システムの制御方法の手順を例示するフローチャートである。
【図９】図１に示す画像形成装置によって形成された箔押し用画像を例示する模式図である。
【図１０】図１に示す箔押し装置によって箔が転写された用紙を例示する模式図である。
【図１１】一実施形態におけるコーティング実施モードの設定の入力画面を例示する模式図である。
【図１２】図８に示すフローチャートのステップＳ１０５の処理手順を例示するサブルーチン・フローチャートである。
【図１３】図８に示すフローチャートのステップＳ１０９の処理手順を例示するサブルーチン・フローチャートである。
【図１４Ａ】一実施形態において箔の表面積に基づいてコーティングの必要性を判断する処理の手順を例示するサブルーチン・フローチャートである。
【図１４Ｂ】図１４Ａの処理を実行した場合の印刷結果を例示する模式図である。
【図１５Ａ】一実施形態において箔の幅に基づいてコーティングの必要性を判断する処理の手順を例示するサブルーチン・フローチャートである。
【図１５Ｂ】図１５Ａの処理を実行した場合の印刷結果を例示する模式図である。
【図１６】一実施形態において用紙の種類に基づいてコーティングの必要性を判断する処理の手順を例示するサブルーチン・フローチャートである。
【図１７】一実施形態において用紙の周辺環境に基づいてコーティングの必要性を判断する処理の手順を例示するサブルーチン・フローチャートである。
【図１８Ａ】一実施形態において後処理の内容に基づいてコーティングの必要性を判断する処理の手順を例示するサブルーチン・フローチャートである。
【図１８Ｂ】図１８Ａの処理を実行した場合の印刷結果を例示する模式図である。
【図１９】一実施形態において箔の表面積、箔の幅、用紙の種類、用紙の周辺環境および後処理の内容に基づいてコーティングの必要性を判断する処理の手順を例示するサブルーチン・フローチャートである。
【図２０】図８に示すフローチャートのステップＳ１０７の処理手順を例示するサブルーチン・フローチャートである。
【図２１】一実施形態におけるコーティング範囲およびコーティングパターンの設定の入力画面を例示する模式図である。
【図２２Ａ】「全選択モード」において用紙上のすべての箔をコーティングした場合の印刷結果を例示する模式図である。
【図２２Ｂ】図２２ＡのＡ部を部分的に拡大して示した模式図である。
【図２２Ｃ】図２２ＢのＹ方向から見た側面図である。
【図２２Ｄ】図２２ＢのＺ方向から見た側面図である。
【図２３】「ユーザー選択モード」において用紙上の箔をコーティングした場合の印刷結果を例示する模式図である。
【図２４】用紙の種類および周辺環境に応じて、コーティングする範囲を調整した場合の印刷結果を例示する模式図である。
【図２５】デフォルト以外のコーティングパターンを例示する模式図である。
【図２６】箔表面のエッジ部から用紙の表面にかけてコーティングする場合について例示する模式図である。
【発明を実施するための形態】
【００２５】
以下、添付した図面を参照して本発明の画像形成システムおよび制御プログラムの実施形態を説明する。なお、図中、同一の部材には同一の符号を用いた。また、図面の寸法比率は、説明の都合上誇張されており、実際の比率とは異なる場合がある。
【００２６】
図１〜図６を参照して、一実施形態の画像形成システムの構成について説明する。図１は一実施形態の画像形成システムの概略構成を例示する図であり、図２は図１に示す給紙装置の概略構成を例示するブロック図である。図３は図１に示す画像形成装置の概略構成を例示するブロック図であり、図４は図１に示す制御部が有する機能部を例示するブロック図である。図５は図１に示す箔押し装置の概略構成を例示するブロック図であり、図６は図１に示す後処理装置の概略構成を例示するブロック図である。
【００２７】
本実施形態の画像形成システムは、用紙に転写された箔をクリアトナーによりコーティングできる画像形成システムである。図１に示すように、本実施形態の画像形成システム１００は、給紙装置２００、画像形成装置３００、箔押し装置４００および後処理装置５００を有する。これらの装置は、Ｘ方向の上流から下流に向けて、給紙装置２００、画像形成装置３００、箔押し装置４００および後処理装置５００の順に連結されている。また、これらの装置間は、図示しない配線により相互に通信可能に接続されている。本実施形態の画像形成システム１００は、印刷モードおよび箔押しモードを含む複数の動作モードを備える。
【００２８】
＜給紙装置２００＞
給紙装置２００は、画像形成装置３００の指示に応じて、画像形成装置３００に用紙を供給する。図２に示すように、給紙装置２００は、給紙部２１０、通信部２２０および制御部２３０を有する。給紙部２１０、通信部２２０および制御部２３０は、信号をやり取りするためのバス２０１により相互に接続されている。
【００２９】
給紙部２１０は、少なくとも１つの給紙トレイ２１１および複数のローラー２１２を有する。給紙トレイ２１１は、印刷に使用される記録材としての用紙Ｓを収容する。用紙Ｓは、たとえば普通紙、エンボス紙、コート紙などでありうる。給紙トレイ２１１に収容されている用紙Ｓは、複数のローラー２１２により画像形成装置３００に１枚ずつ供給される。
【００３０】
通信部２２０は、画像形成装置３００からの指示を受信し、給紙装置２００と画像形成装置３００との間においてデータを送受信する。制御部２３０は、給紙部２１０および通信部２２０を制御し、給紙装置２００が画像形成装置３００に用紙Ｓを供給する機能を実現する。
【００３１】
＜画像形成装置３００＞
画像形成装置３００は、用紙Ｓに画像を形成し、箔押し装置４００へ搬送する。図３に示すように、画像形成装置３００は、画像読取部３１０、画像処理部３２０、給紙部３３０、用紙搬送部３４０、操作パネル３５０、通信部３６０、画像形成部３７０、制御部３８０および記憶部３９０を有する。画像形成装置３００内の各部は、信号をやり取りするためのバス３０１により相互に接続されている。
【００３２】
＜画像読取部３１０＞
画像読取部３１０は、原稿を読み取る。画像読取部３１０は、ミラー、レンズなどから構成される光学系と読取センサーとを備え、読取面に載置された原稿、またはＡＤＦ（Ａｕｔｏ  Ｄｏｃｕｍｅｎｔ  Ｆｅｅｄｅｒ）によって搬送された原稿を読み取って画像信号を生成する。生成された画像信号は、アナログ信号からディジタル信号に変換された後、画像データ信号として画像処理部３２０に送信される。
【００３３】
＜画像処理部３２０＞
画像処理部３２０は、画像データ信号に対して各種の画像処理を実施し、印刷画像データを生成する。画像処理部３２０では、たとえば、濃度補正処理、γ補正処理、フィルター処理、画像圧縮処理などが実施されうる。また、画像処理部３２０は、プリントコントローラーとしての役割を果たし、印刷ジョブに基づいて印刷画像データを生成する。生成された印刷画像データは、画像形成部３７０に送信される。
【００３４】
印刷ジョブは、ＰＣ（Ｐｅｒｓｏｎａｌ  Ｃｏｍｐｕｔｅｒ）等のユーザー端末から送信され、通信部３６０によって受信される。印刷ジョブは、印刷データおよび印刷設定を含む。印刷データは、ＰＤＬ（Ｐａｇｅ  Ｄｅｓｃｒｉｐｔｉｏｎ  Ｌａｎｇｕａｇｅ）データ、ＰＤＦ（Ｐｏｒｔａｂｌｅ  Ｄｏｃｕｍｅｎｔ  Ｆｏｒｍａｔ）データまたはＴＩＦＦ（Ｔａｇｇｅｄ  Ｉｍａｇｅ  Ｆｉｌｅ  Ｆｏｒｍａｔ）データでありうる。
【００３５】
また、印刷設定は、画像形成に関する設定、箔押しに関する設定、コーティングに関する設定（以下、「コーティング設定」という）および後処理に関する設定を含みうる。
【００３６】
画像形成に関する設定は、たとえば、用紙の種類、モノクロ／カラー、ページ割り付け、片面／両面印刷などの設定を含みうる。箔押しに関する設定は、箔の種類などの設定を含みうる。コーティング設定は、コーティング実施モード、各々の箔についてコーティングする範囲およびコーティングパターンなどの設定を含みうる。後処理に関する設定は、折り、ステイプル、穴あけなどの設定を含みうる。
【００３７】
＜給紙部３３０＞
給紙部３３０は、記録材としての用紙Ｓを画像形成部３７０に供給する。給紙部３３０は、複数の用紙トレイを有し、各々の用紙トレイには、たとえば普通紙、エンボス紙、コート紙などがサイズまたは種類ごとに収容されている。給紙部３３０は、いずれかの用紙トレイに収容されている用紙Ｓを画像形成部３７０に１枚ずつ供給する。
【００３８】
＜用紙搬送部３４０＞
用紙搬送部３４０は、画像形成装置３００内において用紙Ｓを搬送する。用紙搬送部３４０は、用紙搬送路および複数の搬送ローラーを有する。給紙装置２００または給紙部３３０から供給された用紙Ｓは、用紙搬送路を通じて、複数の搬送ローラーの回転により画像形成部３７０に搬送される。画像形成部３７０において、画像が形成された用紙Ｓは、排紙部を通じて画像形成装置３００の外部に排出され、箔押し装置４００に供給される。
【００３９】
＜操作パネル３５０＞
操作パネル３５０は、ユーザーからの指示を受け付ける。また、操作パネル３５０は、ユーザーへの情報、メッセージなどを表示する。操作パネル３５０は、キーボードおよびタッチパネルを有する。ユーザーは、キーボードを操作するか、あるいはタッチパネルに表示されるタッチ画面を操作することにより、画像形成装置３００に対して指示を入力する。また、タッチ画面には、入力された情報、印刷設定などの各種設定情報、エラーメッセージなどが表示される。
【００４０】
＜通信部３６０＞
通信部３６０は、ネットワークを経由して、ユーザー端末に接続し、印刷ジョブなどのデータを送受信する。また、通信部３６０は、給紙装置２００、箔押し装置４００および後処理装置５００に制御部３８０からの指示を送信したり、これらの装置に対してデータの送受信を行ったりする。
【００４１】
ネットワークは、構内情報通信網（ＬＡＮ：Ｌｏｃａｌ  Ａｒｅａ  Ｎｅｔｗｏｒｋ）、ＬＡＮ同士を専用線で接続した広域情報通信網（ＷＡＮ：Ｗｉｄｅ  Ａｒｅａ  Ｎｅｔｗｏｒｋ）、インターネット、これらの組み合わせなどの各種のネットワークを含む。ＬＡＮ規格は、たとえば、イーサネット（登録商標）、トークンリング、ＦＤＤＩ（Ｆｉｂｅｒ−Ｄｉｓｔｒｉｂｕｔｅｄ  Ｄａｔａ  Ｉｎｔｅｒｆａｃｅ）である。通信プロトコルは、たとえば、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）である。
【００４２】
＜画像形成部３７０＞
画像形成部３７０は、電子写真方式等の周知の作像プロセスを用いて、用紙Ｓ上に画像を形成する。電子写真方式の作像プロセスは、帯電、露光、現像、転写および定着の工程を含む。
【００４３】
画像形成部３７０は、作像ユニット３７１、転写部３７２および定着部３７３を有する。作像ユニット３７１は、作像ユニット３７１Ｙ、作像ユニット３７１Ｍ、作像ユニット３７１Ｃ、作像ユニット３７１Ｋおよび作像ユニット３７１Ｔを備える。
【００４４】
作像ユニット３７１Ｙはイエロー（Ｙ）の画像を形成し、作像ユニット３７１Ｍはマゼンタ（Ｍ）の画像を形成し、作像ユニット３７１Ｃはシアン（Ｃ）の画像を形成し、作像ユニット３７１Ｋはブラック（Ｋ）の画像を形成する。作像ユニット３７１Ｔは、透明（Ｔ）の画像を形成する。透明（Ｔ）の画像は、光沢感や透明感を表現するために使用されうる。また、本実施形態では、作像ユニット３７１Ｔは、用紙Ｓに転写された箔の表面をコーティング（被膜）する際にも使用される。
【００４５】
作像ユニット３７１Ｙ，３７１Ｍ，３７１Ｃ，３７１Ｋ，３７１Ｔは、像担持体としての感光体ドラムと、その周囲に配置された帯電部、光書込部、現像装置および感光体ドラムクリーニング装置（いずれも不図示）とをそれぞれ備える。各々の感光体ドラムは、ドラムモーターにより所定の速度で回転する。各現像装置は、イエロー、マゼンタ、シアン、ブラックおよび透明の各色のトナーを含む現像剤を収容する。
【００４６】
本実施形態では、画像形成部３７０は、箔押し装置４００が用紙Ｓに箔押し加工処理を実施する前に、用紙Ｓに接着用トナーにより箔押し用画像を形成する。箔押し用画像は、印刷画像データに基づいて、箔押し装置４００が形成する箔の位置および形状に対応するように形成される。箔押し用画像は、箔と用紙Ｓとを接着する接着剤としての役割を果たす。
【００４７】
接着用トナーには、Ｙ、Ｍ、Ｃ、Ｋのトナーのいずれも使用されうる。たとえば、このうち１色のトナーのみで箔押し用画像を形成してもよいし、複数の色のトナーを重ねたトナーで箔押し用画像を形成してもよい。また、使用量が少ない色のトナーを接着用トナーとして使用してもよい。
【００４８】
作像ユニット３７１Ｙ，３７１Ｍ，３７１Ｃ，３７１Ｋ，３７１Ｔでは、光書込部が、各色の印刷画像データに基づく画像情報信号を感光体ドラムに書き込み、画像情報信号に基づく潜像を感光体ドラムに形成する。そして、現像装置が潜像を現像し、各色のトナー画像を感光体ドラム上に形成する。
【００４９】
転写部３７２は、転写ベルトを有する。転写ベルトは、複数のローラーにより巻回され、走行可能に支持された無端ベルトである。作像ユニット３７１Ｙ，３７１Ｍ，３７１Ｃ，３７１Ｋ，３７１Ｔにより感光体ドラム上に形成された各色のトナー画像は、転写ベルト上に転写される。そして、転写ベルト上に転写された画像は、用紙Ｓ上に転写される。
【００５０】
定着部３７３は、転写部３７２により用紙Ｓ上に形成された画像を定着する。定着部３７３は、加圧ローラーおよび加熱ローラーを備え、画像が形成された用紙Ｓを加圧しつつ加熱することにより、用紙Ｓ上に画像を溶着させる。定着部３７３により画像が定着された用紙Ｓは、箔押し装置４００に搬送される。
【００５１】
＜制御部３８０＞
制御部３８０は、画像読取部３１０、画像処理部３２０、給紙部３３０、用紙搬送部３４０、操作パネル３５０、通信部３６０および画像形成部３７０を制御する。制御部３８０は、ＣＰＵ（Ｃｅｎｔｒａｌ  Ｐｒｏｃｅｓｓｉｎｇ  Ｕｎｉｔ）を備える。
【００５２】
＜記憶部３９０＞
記憶部３９０は、補助記憶装置およびメモリーを有する。補助記憶装置は、たとえば、ハードディスクドライブ、フラッシュメモリーなどの大容量の記憶装置を備える。メモリーは、ＲＡＭ（Ｒａｎｄｏｍ  Ａｃｃｅｓｓ  Ｍｅｍｏｒｙ）およびＲＯＭ（Ｒｅａｄ  Ｏｎｌｙ  Ｍｅｍｏｒｙ）を備える。ＲＡＭには、ＣＰＵの実行に伴う演算結果等が格納される。また、ＲＯＭには、ＣＰＵの実行に必要な各種のプログラムやパラメーター等が格納されている。
【００５３】
ＣＰＵは、制御プログラム３９１を実行することにより、様々な機能を実現する。制御プログラム３９１は、記憶部３９０の補助記憶装置に格納されており、ＣＰＵによって実行される際に、記憶部３９０のＲＡＭにロードされる。
【００５４】
図４に示すように、制御部３８０は、機能部として、コーティング実施設定部３８１、コーティング実施判断部３８２、位置ずれ補正部３８３、接着状況推定部３８４、コーティング要否判断部３８５、コーティング条件設定部３８６、コーティング範囲変更部３８７およびコーティング除外部３８８を有する。これらの機能部は、ＣＰＵが制御プログラム３９１を実行することにより実現される。これらの機能部の詳細については後述する。
【００５５】
＜箔押し装置４００＞
箔押し装置４００は、用紙Ｓに箔を転写し、後処理装置５００へ搬送する。図５に示すように、箔押し装置４００は、用紙搬送部４１０、箔押し部４２０、排紙部４３０、通信部４４０および制御部４５０を有する。箔押し装置４００内の各部は、信号をやり取りするためのバス４０１により相互に接続されている。
【００５６】
用紙搬送部４１０は、箔押し装置４００内において用紙Ｓを搬送する。用紙搬送部４１０は、用紙搬送路および複数の搬送ローラーを有する。画像形成装置３００から供給された用紙Ｓは、用紙搬送路を通じて、複数の搬送ローラーの回転により箔押し部４２０に搬送される。
【００５７】
箔押し部４２０は、箔供給部４２１、箔転写部４２２および箔巻き取り部４２３を有する。箔供給部４２１は、箔転写部４２２に箔膜シートＦを供給する。箔膜シートＦは、箔供給部４２１にロール体（元巻）として装填されている。
【００５８】
箔膜シートＦは、可撓性の長尺の基材と、この基材の全面にわたって表面側に形成された箔層により構成されている。箔層としては、金箔、銀箔、黒箔、白箔、ホログラム箔、パール箔、金属光沢を有するカラー顔料箔等を使用できる。なお、箔層と基材との間に離型層が形成されていてもよい。
【００５９】
箔転写部４２２は、用紙Ｓに箔膜シートＦの薄層を転写する。箔転写部４２２は、加熱部および一対のローラーを備える。加熱部は、ハロゲンヒーターを備え、一対のローラーの表面の温度を所定の温度範囲内に維持する。また、一対のローラーは、用紙搬送路から所定の退避位置に退避可能である。箔押し部４２０は、箔押しを実施しない場合に、一対のローラーを退避させる。箔巻き取り部４２３は、箔転写部４２２を通過した箔膜シートＦを巻き取り、回収する。
【００６０】
排紙部４３０は、箔が転写された用紙Ｓを箔押し装置４００の外部へ排出する。排紙部４３０は、一対の排紙ローラーを有し、一対の排紙ローラーの回転により、箔が転写された用紙Ｓを箔押し装置４００の外部へ排出する。
【００６１】
通信部４４０は、画像形成装置３００からの指示を受信し、箔押し装置４００と画像形成装置３００との間においてデータを送受信する。制御部４５０は、用紙搬送部４１０、箔押し部４２０、排紙部４３０および通信部４４０を制御し、箔押し装置４００が用紙Ｓに箔押しする機能を実現する。
【００６２】
＜後処理装置５００＞
後処理装置５００は、画像形成装置３００の指示に従って、箔押し装置４００から供給された用紙Ｓを搬送または後処理し、排紙する。後処理装置５００は、用紙搬送部５１０、画像検査部５２０、後処理部５３０、排紙部５４０、通信部５５０および制御部５６０を有する。後処理装置５００内の各部は、信号をやり取りするためのバス５０１により相互に接続されている。
【００６３】
用紙搬送部５１０は、後処理装置５００内において用紙Ｓを搬送する。用紙搬送部５１０は、用紙搬送路および複数の搬送ローラーを有する。箔押し装置４００から供給された用紙Ｓは、用紙搬送路を通じて、複数の搬送ローラーの回転により画像検査部５２０に搬送される。
【００６４】
画像検査部５２０は、画像読取部（スキャナー）を備え、用紙Ｓの表面を撮像し、画像を取得する。画像読取部によって取得された用紙Ｓの表面の画像は、画像形成装置３００の記憶部３９０に送信される。画像検査部５２０を通過した用紙Ｓは、後処理が実施される場合、後処理部５３０へ搬送され、後処理が実施されない場合、迂回経路５１１を通じて排紙部５４０へ搬送される。
【００６５】
後処理部５３０は、用紙に対して後処理を実施する。本実施形態では、後処理は、たとえば折り処理、パンチ処理、ステイプル処理、カール矯正処理などを含む。
【００６６】
排紙部５４０は、用紙Ｓを後処理装置５００の外部へ排出する。排紙部５４０は、排紙トレイ５４１および一対の排紙ローラーを有し、排紙ローラーの回転により、用紙Ｓを排紙トレイ５４１上へ排出する。
【００６７】
通信部５５０は、画像形成装置３００からの指示を受信し、後処理装置５００と画像形成装置３００との間においてデータを送受信する。制御部５６０は、用紙搬送部５１０、画像検査部５２０、後処理部５３０、排紙部５４０、通信部５５０を制御し、後処理装置５００が用紙Ｓに対して後処理を実施する機能を実現する。
【００６８】
＜画像形成システムの制御方法＞
以下、図７〜図２１を参照して、本実施形態の画像形成システムの制御方法について説明する。図７はユーザー端末における原稿作成を例示する模式図であり、図８は本実施形態における画像形成システムの制御方法の手順を例示するフローチャートである。図８のフローチャートの処理は、制御部３８０のＣＰＵが制御プログラム３９１を実行することにより実現される。図９は図１に示す画像形成装置によって形成された箔押し用画像を例示する模式図であり、図１０は図１に示す箔押し装置によって箔が転写された用紙を例示する模式図である。
【００６９】
（箔押し加工処理）
画像形成システム１００は、用紙Ｓに対して箔押し加工処理を実施した後、箔押しされた用紙Ｓに対して印刷処理を実施する。その際、画像形成システム１００は、用紙Ｓ上の箔を補強するため、必要に応じて箔の表面とその周辺における用紙Ｓの表面をクリアトナーのトナー層によりコーティングする。
【００７０】
ユーザーは、ユーザー端末上で文書作成ソフトウェアなどのアプリケーションソフトウェアを使用して原稿を作成し、印刷を指示する。プリンタードライバーは、ユーザーが作成した原稿に基づいて印刷ジョブを生成し、画像形成システム１００に送信する。
【００７１】
たとえば、図７に示すように、ユーザーが作成した原稿Ｐは、箔オブジェクトＯＢＪ１〜ＯＢＪ５を含む。箔オブジェクトＯＢＪ１〜ＯＢＪ５は、箔押し装置４００が用紙Ｓに転写する箔の位置および形状に対応するように作成される。なお、説明の都合上省略しているが、原稿Ｐは、箔オブジェクト以外に、用紙Ｓに印刷する文字に対応する文字オブジェクトなど他のオブジェクトを含みうる。
【００７２】
図８に示すように、画像形成装置３００は、まず、印刷ジョブを取得する（ステップＳ１０１）。具体的には、画像処理部３２０は、通信部３６０を通じて、ユーザー端末から印刷ジョブを取得し、解析する。画像処理部３２０は、印刷ジョブに箔オブジェクトが含まれている旨を制御部３８０に伝達する。制御部３８０は、画像形成システム１００の動作モードを箔押しモードに設定する。
【００７３】
給紙装置２００は、給紙トレイ２１１に収容されている用紙Ｓを１枚ずつ順に画像形成装置３００に供給する。当初、給紙トレイ２１１には、紙面に箔および画像が形成されていない用紙、すなわち、白紙がユーザーによって予めセットされている。用紙Ｓは、用紙搬送部３４０によって画像形成部３７０へ搬送される。
【００７４】
図９に示すように、画像形成部３７０は、印刷ジョブの印刷画像データおよび印刷設定に基づいて、箔押し用画像を用紙Ｓに形成する。箔押し用画像は、原稿Ｐの箔オブジェクトＯＢＪ１〜ＯＢＪ５の位置および形状に対応するように接着用トナーを使用して形成される。箔押し用画像が形成された用紙Ｓは、箔押し装置４００へ搬送される。
【００７５】
箔押し装置４００は、箔押し加工処理を実施する（ステップＳ１０２）。箔押し装置４００は、用紙Ｓ上に箔を形成する。用紙Ｓは、箔転写部４２２の一対のローラー間に搬送され、箔膜シートＦとともに加熱、加圧処理される。このとき、用紙Ｓ上の箔押し用画像の接着用トナーと、箔膜シートＦの箔上の接着層とが溶融または軟化することにより、接着用トナーと箔とが接着する。
【００７６】
そして、用紙Ｓの全面に接触した箔のうち、箔押し用画像に対応する箔層のみが選択的に用紙Ｓに転写される。したがって、箔押し用画像と転写された箔層の形状とは同一である。箔が転写された後は、箔押し用画像の表面はすべて箔の層（金箔等）で覆われるので、ユーザーは、箔押し用画像のトナーの色を認識することはできない。
【００７７】
図１０に示すように、用紙Ｓ上に形成された箔押し用画像上に箔Ｆ１〜Ｆ５が転写される。以下、本明細書では、箔の長手方向の長さを単に「長さ」といい、短手方向の長さを「幅」という。箔Ｆ１の長さはａ１であり、幅はｂ１である。箔Ｆ２〜Ｆ４の長さはａ２であり、幅はｂ２である。箔Ｆ５の長さはａ３であり、幅はｂ３である。箔Ｆ１〜Ｆ５が転写された用紙Ｓは、後処理装置５００へ搬送される。
【００７８】
後処理装置５００において、画像検査部５２０は、用紙Ｓを撮像し、用紙Ｓの画像を取得する。一方、後処理部５３０が後処理を実施しないため、用紙搬送部５１０は、迂回経路５１１を通じて用紙Ｓを排紙部５４０に搬送する。排紙部５４０は、排紙トレイ５４１上へ用紙Ｓを排出する。
【００７９】
箔押し装置４００は、箔オブジェクトが含まれるすべてのページについて、箔押し加工処理を実施する。ユーザーは、箔押し加工処理が完了した後、排紙トレイ５４１に排出された用紙Ｓ（用紙が複数枚ある場合は用紙束）を給紙装置２００まで運搬し、給紙トレイ２１１にセットする。
【００８０】
なお、以上では接着用トナーにより箔を用紙Ｓに接着する場合について説明した。しかし、このような場合に限定されず、トナー以外の適切な接着剤を使用して箔を用紙Ｓに接着してもよい。また、画像形成システム１００以外の装置において用紙に箔を転写した後、給紙トレイ２１１にセットしてもよい。
【００８１】
（印刷処理）
図１１〜図１３を参照して、本実施形態の印刷処理について説明する。図１１は、本実施形態におけるコーティング実施モードの設定の入力画面を例示する模式図である。図１２は図８に示すフローチャートのステップＳ１０５の処理手順を例示するサブルーチン・フローチャートであり、図１３は図８に示すフローチャートのステップＳ１０９の処理手順を例示するサブルーチン・フローチャートである。
【００８２】
図１２および図１３のサブルーチン・フローチャートの各処理は、制御部３８０のＣＰＵが制御プログラム３９１を実行することにより実現される。
【００８３】
本実施形態の印刷処理では、箔のコーティングを実施すべきか否かの判断をユーザーが行うか、あるいは画像形成システム１００が行うかを選択できる。図８に示すように、コーティング実施モードを取得する（ステップＳ１０３）。制御部３８０は、印刷設定のコーティング設定に含まれるコーティング実施モードを取得する。また、制御部３８０は、コーティング実施設定部３８１として機能し、箔の表面をコーティングするか否かをユーザーに設定させる。ユーザーは、操作パネル３５０を通じて、コーティング実施モードを設定できる。
【００８４】
たとえば、図１１に示すように、コーティング実施設定部３８１は、ページごとにコーティング実施モードの入力を受け付ける入力画面６００を操作パネル３５０に表示させる。ユーザーは、入力画面６００を通じてコーティング実施モードを設定できる。
【００８５】
ページ番号入力部６０１は、コーティング実施モードを設定するページをユーザーに入力させる。また、コーティング実施入力部６０２は、ページ番号入力部６０１により設定されたページについて、コーティング実施モードをユーザーに入力させる。
【００８６】
ユーザーは、たとえば「用紙上のすべての箔についてコーティングを実施する（全選択モード）」、「コーティングを実施する箔をユーザーが選択する（ユーザー選択モード）」、「コーティングを実施する箔を印刷装置が選択する（装置選択モード）」、および「用紙上のいずれの箔についてもコーティングを実施しない（不実施）」のいずれかを選択できる。「ＯＫ」６０３が押された場合、入力が設定され、入力画面６００が消去される。一方、「キャンセル」６０４が押された場合、入力がキャンセルされ、入力画面６００が消去される。
【００８７】
次に、コーティング実施モードが「装置選択モード」または未設定か否かが判断される（ステップＳ１０４）。コーティング実施モードが「装置選択モード」または未設定である場合（ステップＳ１０４：ＹＥＳ）、用紙Ｓの各々の箔についてコーティングの実施を判断する（ステップＳ１０５）。
【００８８】
［装置選択モード、モード未設定］
たとえば、図１２に示すように、制御部３８０は、コーティング実施判断部３８２として機能し、用紙Ｓの各々の箔についてコーティングの実施を判断する。コーティング実施判断部３８２は、注目している箔がコーティングを行わない種類の箔か否かを判断する（ステップＳ２０１）。注目している箔がコーティングを行わない種類の箔である場合（ステップＳ２０１：ＹＥＳ）、注目している箔についてコーティングを実施しない設定とする（ステップＳ２０６）。
【００８９】
たとえば、注目している箔の表面が滑らかではなく、手触りの良さを特徴としている場合には、箔の表面をコーティングすると手触りの良さが損なわれるため、コーティングを実施しない設定とする。
【００９０】
次に、すべての箔についてコーティングの実施を判断したか否かを判断する（ステップＳ２０７）。すべての箔についてコーティングの実施を判断していない場合（ステップＳ２０７：ＮＯ）、制御部３８０は、ステップＳ２０１の処理に戻る。一方、すべての箔についてコーティングの実施を判断した場合（ステップＳ２０７：ＹＥＳ）、制御部３８０は、図８のフローチャートの処理に戻る（リターン）。
【００９１】
注目している箔がコーティングを行なう種類の箔である場合（ステップＳ２０１：ＮＯ）、用紙Ｓの各々の箔についてコーティングの必要性を判断する（ステップＳ２０２）。制御部３８０は、箔と用紙Ｓとの接着状況を推定し、箔と用紙Ｓとの接着状況に応じて、箔の表面をコーティングする必要があるか否かを判断する。コーティングの必要性の判断の処理の具体的な手順については後述する。
【００９２】
次に、コーティングの必要性があるか否かを判断する（ステップＳ２０３）。コーティングの必要性がない場合（ステップＳ２０３：ＮＯ）、注目している箔をコーティングしない設定とする（ステップＳ２０６）。
【００９３】
一方、コーティングの必要性がある場合（ステップＳ２０３：ＹＥＳ）。箔のコーティングが必要な位置と印刷画像（原稿画像）の印刷位置とが重なるか否かを判断する（ステップＳ２０４）。制御部３８０は、コーティング除外部３８８として機能し、箔のコーティングが必要な位置を特定し、箔のコーティングが必要な位置と印刷画像のＹ、Ｍ、Ｃ、Ｋの少なくともいずれかを印刷する位置とが重なるか否かを判断する。
【００９４】
箔のコーティングが必要な位置は、たとえば箔の表面積が小さい場合は、箔の表面と箔の周囲における用紙Ｓの表面でありうる。また、後処理装置５００において、用紙Ｓについて折り処理を実施する場合、箔上の折り位置に対応する部分でありうる。
【００９５】
箔のコーティングが必要な位置と印刷画像の印刷位置とが重なる場合（ステップＳ２０４：ＹＥＳ）、コーティング除外部３８８は、領域が重なる部分をコーティングが必要な領域から除外し、注目している箔について、部分的に箔をコーティングする設定とする（ステップＳ２０７）。
【００９６】
一方、箔のコーティングが必要な位置と印刷画像の印刷位置とが重ならない場合（ステップＳ２０４：ＮＯ）、コーティング実施判断部３８２は、注目している箔をコーティングする設定とする（ステップＳ２０５）。
【００９７】
次に、すべての箔についてコーティングの実施を判断したか否かを判断する（ステップＳ２０８）。すべての箔についてコーティングの実施を判断していない場合（ステップＳ２０８：ＮＯ）、制御部３８０は、ステップＳ２０１の処理に戻る。
【００９８】
一方、すべての箔についてコーティングの実施を判断した場合（ステップＳ２０８：ＹＥＳ）、制御部３８０は、図８のフローチャートの処理に戻る（リターン）。
【００９９】
コーティング実施設定部３８１は、用紙Ｓ内にコーティングする設定の箔が少なくとも１つあり、コーティング実施入力部６０２の「用紙内において箔表面の光沢を合せる」が選択されている場合、用紙Ｓ内のすべての箔について、コーティングする設定に変更する。したがって、コーティングを実施しない設定とされ、コーティングの対象外となった箔についてもコーティングを実施し、すべての箔の表面をコーティングするので、用紙Ｓ内において箔の表面の光沢を合せることができる。
【０１００】
次に、用紙の各々の箔についてコーティングの条件を設定する（ステップＳ１０７）。制御部３８０は、コーティングをする箔について、コーティングする範囲、コーティングパターンなどの条件を設定する。コーティングの条件の設定の具体的な手順については後述する。
【０１０１】
次に、用紙を画像形成装置３００に供給する（ステップＳ１０８）。給紙装置２００は、箔押し加工処理が実施され、給紙トレイ２１１に収容されている用紙を１枚ずつ順に画像形成装置３００に供給する。画像形成システム１００は、動作モードを印刷モードに設定する。
【０１０２】
次に、印刷処理を実施する（ステップＳ１０９）。画像形成部３７０は、原稿Ｐの印刷画像データおよび印刷設定に基づいて印刷処理を実施する。
【０１０３】
より具体的には、図１３に示すように、まず、注目している箔がコーティングを実施する設定であるか否かを判断する（ステップＳ３０１）。制御部３８０は、箔のコーティングを実施または部分的に実施する設定である場合（ステップＳ３０１：ＹＥＳ）、画像処理部３２０は、印刷画像にコーティング用のクリアトナー画像を追加する（ステップＳ３０２）。コーティング用のクリアトナー画像は、注目している箔について、コーティング条件で指定されたコーティング範囲およびコーティングパターンに対応し、原稿画像と重なる領域が除外されたクリアトナーの画像である。
【０１０４】
一方、注目している箔がコーティングを実施する設定ではない場合（ステップＳ３０１：ＮＯ）、制御部３８０は、ステップＳ３０３の処理に移行する。
【０１０５】
次に、すべての箔について、コーティングの実施または不実施を確認したか否かを判断する（ステップＳ３０３）。すべての箔について、コーティングの実施または不実施を確認していない場合（ステップＳ３０３：ＮＯ）、ステップＳ３０１の処理に戻る。
【０１０６】
一方、すべての箔について、コーティングの実施または不実施を確認した場合（ステップＳ３０３：ＹＥＳ）、位置ずれ補正を実施する（ステップＳ３０４）。制御部３８０は、位置ずれ補正部３８３として機能し、箔のコーティングを実施する１枚目の用紙に対して、用紙の種類ごとの位置ずれ特性に基づいて位置ずれ補正を実施する。
【０１０７】
より具体的には、位置ずれ補正部３８３は、用紙の種類と、画像形成システム１００の各部品の消耗率などの機械的な経年劣化とに基づいて、用紙に対するクリアトナーのトナー層の位置ずれを推定する。位置ずれ補正部３８３は、推定された位置ずれ分を考慮して、クリアトナーのトナー層を形成する位置の補正を行う。
【０１０８】
また、画像形成部３７０は、複数枚の用紙に対して連続的に箔のコーティングを実施しうる。この場合、位置ずれ補正部３８３は、上記用紙に後続する２枚目以降の用紙に対して、既に箔の表面がコーティングされた用紙を画像検査部５２０により検査し、検査結果に基づいて位置ずれ補正を実施する。
【０１０９】
より具体的には、位置ずれ補正部３８３は、たとえば既に箔の表面がコーティングされた１枚目の用紙のずれ量を画像検査部５２０により確認し、さらに補正が必要か否かを判断する。位置ずれ補正部３８３は、さらに補正が必要であると判断された場合、ずれ量を考慮して、クリアトナーのトナー層を形成する位置の補正を行う。
【０１１０】
次に、画像を印刷する（ステップＳ３０５）。画像形成部３７０は、印刷画像を印刷し、図８のフローチャートの処理に戻る（リターン）。
【０１１１】
次に、後処理を実施する（ステップＳ１１０）。用紙搬送部３４０は、画像形成された用紙Ｓを箔押し装置４００へ搬送する。箔押し装置４００は、動作モードが印刷モードであるため、用紙Ｓに箔押し加工処理を実施せずに、そのまま後処理装置５００へ搬送する。後処理部５３０は、用紙Ｓに対して、たとえば折り処理などの後処理を実施する。
【０１１２】
次に、現在のページが印刷ジョブの最後のページか否かを判断する（ステップＳ１１１）。現在のページが印刷ジョブの最後のページである場合（ステップＳ１１１：ＹＥＳ）、制御部３８０は制御処理を終了する（エンド）。一方、現在のページが印刷ジョブの最後のページではない場合（ステップＳ１１１：ＮＯ）、制御部３８０は、ステップＳ１０８の処理に移行する。
【０１１３】
（コーティングの必要性の判断）
次に、図１４Ａ〜図１９を参照して、コーティングの必要性の判断について説明する。図１４Ａは本実施形態において箔の表面積に基づいてコーティングの必要性を判断する処理の手順を例示するサブルーチン・フローチャートであり、図１４Ｂは図１４Ａの処理を実行した場合の印刷結果を例示する模式図である。図１５Ａは本実施形態において箔の幅に基づいてコーティングの必要性を判断する処理の手順を例示するサブルーチン・フローチャートであり、図１５Ｂは図１５Ａの処理を実行した場合の印刷結果を例示する模式図である。
【０１１４】
図１６は本実施形態において用紙の種類に基づいてコーティングの必要性を判断する処理の手順を例示するサブルーチン・フローチャートである。図１７は、本実施形態において用紙の周辺環境に基づいてコーティングの必要性を判断する処理の手順を例示するサブルーチン・フローチャートである。
【０１１５】
図１８Ａは本実施形態において後処理の内容に基づいてコーティングの必要性を判断する処理の手順を例示するサブルーチン・フローチャートであり、図１８Ｂは図１８Ａの処理を実行した場合の印刷結果を例示する模式図である。
【０１１６】
図１９は、本実施形態において箔の表面積、箔の幅、用紙の種類、用紙の周辺環境および後処理の内容に基づいてコーティングの必要性を判断する処理の手順を例示するサブルーチン・フローチャートである。
【０１１７】
図１４Ａ、図１５Ａ、図１６、図１７、図１８Ａ、図１９のサブルーチン・フローチャートの各処理は、制御部３８０のＣＰＵが制御プログラム３９１を実行することにより実現される。
【０１１８】
制御部３８０は、箔と用紙Ｓとの接着状況を推定する接着状況推定部３８４として機能する。接着状況推定部３８４は、接着状況として、箔の表面積に基づいて、用紙Ｓに対する箔の接着強度を推定できる。箔の表面積は、たとえば、箔オブジェクトまたは画像検査部５２０により撮像された箔を含む用紙Ｓの画像に基づいて推定される。
【０１１９】
また、制御部３８０は、箔と用紙Ｓとの接着状況に応じて、箔の表面をコーティングする必要があるか否かを判断するコーティング要否判断部３８５として機能する。コーティング要否判断部３８５は、箔の表面積が所定の第１面積以下である場合、箔と用紙Ｓとの接着強度が低く剥がれやすいと判断する。
【０１２０】
図１４Ａに示すように、コーティング要否判断部３８５は、箔の表面積が所定の第１面積以下か否かを判断する（ステップＳ４０１）。箔の表面積が所定の第１面積以下である場合（ステップＳ４０１：ＹＥＳ）、コーティング要否判断部３８５は、箔のコーティングを必要に設定する（ステップＳ４０２）。
【０１２１】
一方、箔の表面積が所定の第１面積を超える場合（ステップＳ４０１：ＮＯ）、コーティング要否判断部３８５は、箔のコーティングを不要に設定する（ステップＳ４０３）。たとえば、コーティング要否判断部３８５は、箔の表面積が１．５ｍｍ２以下の場合、箔と用紙Ｓとの接着強度が低く剥がれやすいと判断し、箔のコーティングを必要に設定する。一方、コーティング要否判断部３８５は、箔の表面積が１．５ｍｍ２を超える場合、箔と用紙Ｓとの接着強度が十分であると判断し、箔のコーティングを不要に設定する。
【０１２２】
図１４Ｂに示すように、制御部３８０は、箔Ｆ２〜箔Ｆ４の表面積が１．５ｍｍ２以下である場合、箔Ｆ２〜箔Ｆ４の表面にそれぞれトナー層ＴＬ２〜ＴＬ４を形成してコーティングするように画像形成部３７０を制御する。
【０１２３】
また、図１５に示すように、接着状況推定部３８４は、接着状況として、箔の幅に基づいて、用紙Ｓに対する箔の接着強度を推定できる。箔の幅は、たとえば、箔オブジェクトまたは画像検査部５２０により撮像された箔を含む用紙Ｓの画像に基づいて推定される。コーティング要否判断部３８５は、箔の幅が所定幅以下かである場合、箔と用紙Ｓとの接着強度が低く剥がれやすいと判断する。
【０１２４】
コーティング要否判断部３８５は、箔の幅が所定幅以下か否かを判断する（ステップＳ４０４）。箔の幅が所定幅以下である場合（ステップＳ４０４：ＹＥＳ）、箔のコーティングを必要に設定する（ステップＳ４０５）。一方、箔の幅が所定幅を超える場合（ステップＳ４０５：ＮＯ）、コーティング要否判断部３８５は、箔のコーティングを不要に設定する（ステップＳ４０６）。
【０１２５】
たとえば、コーティング要否判断部３８５は、箔の幅が１ｍｍ以下の場合、箔と用紙Ｓとの接着強度が低く剥がれやすいと判断し、箔のコーティングを必要に設定する。一方、コーティング要否判断部３８５は、箔の幅が１ｍｍを超える場合、箔と用紙Ｓとの接着強度が十分であると判断し、箔のコーティングを不要に設定する。
【０１２６】
図１５Ｂに示すように、制御部３８０は、箔Ｆ１〜箔Ｆ４の幅が１ｍｍ以下である場合、画像形成部３７０を制御して、箔Ｆ１〜箔Ｆ４の表面にそれぞれトナー層ＴＬ１〜ＴＬ４を形成してコーティングする。
【０１２７】
また、図１６に示すように、接着状況推定部３８４は、接着状況として、用紙の種類に基づいて、用紙Ｓに対する箔の接着強度を推定できる。
【０１２８】
コーティング要否判断部３８５は、用紙Ｓの種類がコーティング必要な用紙か否かを判断する（ステップＳ４０７）。用紙Ｓの種類が、コーティングが必要な用紙である場合（ステップＳ４０７：ＹＥＳ）、コーティング要否判断部３８５は、箔のコーティングを必要に設定する（ステップＳ４０８）。一方、用紙Ｓの種類が、コーティングが必要な用紙ではない場合（ステップＳ４０７：ＮＯ）、コーティング要否判断部３８５は、箔のコーティングを不要に設定する（ステップＳ４０９）。
【０１２９】
たとえば、コーティング要否判断部３８５は、用紙Ｓがエンボス紙など表面に凹凸を含む用紙である場合、箔と用紙Ｓとの接着強度が低く剥がれやすいと判断し、箔のコーティングを必要に設定する。一方、コーティング要否判断部３８５は、用紙Ｓの種類がエンボス紙などではない場合、箔と用紙Ｓとの接着強度が十分であると判断し、箔のコーティングを不要に設定する。
【０１３０】
また、図１７に示すように、接着状況推定部３８４は、接着状況として、用紙Ｓの周辺環境に基づいて、用紙Ｓに対する箔の接着強度を推定できる。コーティング要否判断部３８５は、用紙Ｓの周辺環境が高温多湿または低温低湿である場合、箔と用紙Ｓとの接着強度が低く剥がれやすいと判断する。
【０１３１】
コーティング要否判断部３８５は、用紙Ｓの周辺環境が高温多湿または低温低湿か否かを判断する（ステップＳ４１０）。用紙Ｓの周辺環境が高温多湿または低温低湿である場合（ステップＳ４１０：ＹＥＳ）、コーティング要否判断部３８５は、箔のコーティングを必要に設定する（ステップＳ４１１）。一方、用紙Ｓの周辺環境が高温多湿または低温低湿ではない場合（ステップＳ４１０：ＮＯ）、コーティング要否判断部３８５は、箔のコーティングを不要に設定する（ステップＳ４１２）。
【０１３２】
たとえば、コーティング要否判断部３８５は、用紙Ｓの周辺の気温が３０℃以上かつ湿度が５０％以上または気温が１８℃未満かつ湿度が２０％未満の場合、箔と用紙Ｓとの接着強度が低く剥がれやすいと判断し、箔のコーティングを必要に設定する。一方、コーティング要否判断部３８５は、用紙Ｓの周辺環境が上述のような高温多湿または低温低湿ではない場合、箔と用紙Ｓとの接着強度が十分であると判断し、箔のコーティングを不要に設定する。
【０１３３】
また、図１８Ａに示すように、接着状況推定部３８４は、接着状況として、用紙Ｓに対する後処理の内容に基づいて、用紙Ｓに対する箔の剥がれ易さを推定できる。
【０１３４】
コーティング要否判断部３８５は、コーティングが必要な後処理の内容かを判断する（ステップＳ４１３）。コーティングが必要な後処理の内容である場合（ステップＳ４１３：ＹＥＳ）、箔のコーティングを必要に設定する（ステップＳ４１４）。一方、コーティングが必要な後処理の内容ではない場合（ステップＳ４１３：ＮＯ）、コーティング要否判断部３８５は、箔のコーティングを不要に設定する（ステップＳ４１５）。
【０１３５】
たとえば、コーティング要否判断部３８５は、用紙Ｓにおいて箔と折り位置が重なる場合、その箔と用紙Ｓとの接着強度が低く剥がれやすいと判断し、その箔のコーティングを必要に設定する。一方、コーティング要否判断部３８５は、箔に折り位置が重ならない場合、その箔と用紙Ｓとの接着強度が十分であると判断し、その箔のコーティングを不要に設定する。
【０１３６】
図１８Ｂに示すように、用紙Ｓにおいて箔Ｆ１および箔Ｆ３に折り位置が重なる。制御部３８０は、箔Ｆ１および箔Ｆ３のそれぞれ折り位置と重なる部分にトナー層ＴＬ１およびＴＬ３を形成してコーティングする。
【０１３７】
さらに、図１９に示すように、コーティング要否判断部３８５は、箔の表面積、箔の幅、用紙Ｓの種類、用紙Ｓの周辺環境および後処理の内容に応じて、コーティングが不要か否かを判断する。
【０１３８】
コーティング要否判断部３８５は、箔の表面積が第１の面積以下か否かを判断する（ステップＳ４１６）。箔の表面積が第１の面積以下である場合（ステップＳ４１６：ＹＥＳ）、コーティング要否判断部３８５は、箔のコーティングを必要に設定する（ステップＳ４２２）。
【０１３９】
一方、箔の表面積が第１の面積を超える場合（ステップＳ４１６：ＮＯ）、コーティング要否判断部３８５は、箔の幅が所定幅以下か否かを判断する（ステップＳ４１７）。箔の幅が所定幅以下である場合（ステップＳ４１７：ＹＥＳ）、コーティング要否判断部３８５は、箔のコーティングを必要に設定する（ステップＳ４２２）。
【０１４０】
一方、箔の幅が所定幅を超える場合（ステップＳ４１７：ＮＯ）、コーティング要否判断部３８５は、用紙Ｓの種類が、コーティングが必要な用紙か否かを判断する（ステップＳ４１８）。用紙Ｓの種類が、コーティングが必要な用紙である場合（ステップＳ４１８：ＹＥＳ）、コーティング要否判断部３８５は、箔のコーティングを必要に設定する（ステップＳ４２２）。
【０１４１】
一方、用紙Ｓの種類が、コーティングが必要な用紙ではない場合（ステップＳ４１８：ＮＯ）、コーティング要否判断部３８５は、用紙Ｓの周辺環境が、コーティングが必要な周辺環境であるか否かを判断する（ステップＳ４１９）。用紙Ｓの周辺環境が、コーティングが必要な周辺環境である場合（ステップＳ４１９：ＹＥＳ）、コーティング要否判断部３８５は、箔のコーティングを必要に設定する（ステップＳ４２２）。
【０１４２】
一方、用紙Ｓの周辺環境が、コーティングが必要な周辺環境ではない場合（ステップＳ４１９：ＮＯ）、コーティング要否判断部３８５は、コーティングが必要な後処理かを判断する（ステップＳ４２０）。コーティングが必要な後処理かである場合（ステップＳ４２０：ＹＥＳ）、コーティング要否判断部３８５は、箔のコーティングを必要に設定する（ステップＳ４２２）。一方、コーティングが必要な後処理ではない場合（ステップＳ４２０：ＮＯ）、コーティング要否判断部３８５は、箔のコーティングを不要に設定する（ステップＳ４２１）。
【０１４３】
このように、図１４Ａ、図１５Ａ、図１６、図１７、図１８Ａおよび図１９に示すサブルーチン・フローチャートの処理では、箔と用紙Ｓとの接着状況を推定し、箔と用紙Ｓとの接着状況に応じて、箔の表面をコーティングする必要があるか否かを判断する。
【０１４４】
以上では、接着状況推定部３８４が、接着状況として、箔の表面積、箔の幅、用紙の種類、用紙の周辺環境の少なくともいずれかに基づいて、用紙Ｓに対する箔の接着強度を推定する場合について説明した。しかし、このような場合に限定されず、接着状況推定部３８４は、接着状況として、他の要因に基づいて、用紙Ｓに対する箔の接着強度を推定することもできる。
【０１４５】
［全選択モード、ユーザー選択モード］
次に、コーティング実施モードが「全選択モード」または「ユーザー選択モード」である場合について説明する。図２０は図８に示すフローチャートのステップＳ１０７の処理手順を例示するサブルーチン・フローチャートであり、図２１は本実施形態におけるコーティング範囲およびコーティングパターンの設定の入力画面を例示する模式図である。図２０のサブルーチン・フローチャートの各処理は、制御部３８０のＣＰＵが制御プログラム３９１を実行することにより実現される。
【０１４６】
図８のフローチャートに戻り、コーティング実施モードが「装置選択モード」または未設定ではない場合（ステップＳ１０４：ＮＯ）、コーティング実施モードが「全選択モード」または「ユーザー選択モード」であるか否かを判断する（ステップＳ１０６）。コーティング実施モードが「全選択モード」または「ユーザー選択モード」ではない場合（ステップＳ１０６：ＮＯ）、用紙上のいずれの箔についてもコーティングを実施しないので、制御部３８０は、ステップＳ１０８の処理に移行する。
【０１４７】
一方、コーティング実施モードが「全選択モード」または「ユーザー選択」モードである場合（ステップＳ１０６：ＹＥＳ）、用紙Ｓの各々の箔についてコーティングの条件を設定する（ステップＳ１０７）。
【０１４８】
より具体的には、図２０に示すように、コーティングする範囲がユーザーによって指定されているか否かを判断する（ステップＳ５０１）。図２１に示すように、制御部３８０は、コーティング条件設定部３８６として機能し、操作パネル３５０に入力画面７００を表示させる。
【０１４９】
ユーザーは、入力画面７００を通じて、ページごとに各々の箔のコーティング範囲を設定できる。たとえば、コーティング実施モードが「全選択モード」である場合、ページごとに用紙Ｓのすべての箔についてコーティング範囲を一括して設定する。また、コーティング実施モードが、「ユーザー選択モード」である場合は、ページごとに各々の箔についてコーティング範囲を設定する。
【０１５０】
ページ番号入力部７０１は、コーティング範囲およびコーティングパターンを設定するページを入力させる。また、コーティング範囲入力部７０２は、ページ番号入力部７０１により設定されたページについて、コーティング範囲をユーザーに入力させる。
【０１５１】
コーティング範囲がユーザーによって指定されている場合（ステップＳ５０１：ＹＥＳ）、コーティング範囲をユーザーが指定した範囲に設定する（ステップＳ５０２）。本実施形態では、コーティング範囲は、たとえば用紙Ｓ上の箔の外縁からの距離によって指定される。図２１に示す例では、デフォルトが入力されている。デフォルトは、たとえば１ｍｍである。このように、コーティング条件設定部３８６は、用紙Ｓ上の箔の外縁からの距離によって指定されるコーティング範囲、すなわち箔の面積に対するトナー層の面積をユーザーに設定させる。
【０１５２】
一方、コーティング範囲がユーザーによって指定されていない場合（ステップＳ５０１：ＮＯ）、コーティング範囲をデフォルトの範囲に指定する（ステップＳ５０３）。
【０１５３】
さらに、制御部３８０は、用紙Ｓの種類および周辺環境に応じてコーティングする範囲を調整する（ステップＳ５０４）。制御部３８０は、コーティング範囲変更部３８７として機能し、用紙Ｓの種類および周辺環境に応じて、用紙Ｓ上をコーティングする範囲をデフォルト値から拡大または縮小する。すなわち、コーティング範囲変更部３８７は、トナー層が形成される領域のサイズを変更する
たとえば、コーティング範囲変更部３８７は、用紙Ｓの種類がエンボス紙であり、気温が３０℃以上かつ湿度が５０％以上の場合、箔の接着強度が非常に弱いと判断し、用紙Ｓ上をコーティングする範囲をデフォルト値から拡大する。
【０１５４】
また、コーティングパターン入力部７０３は、ページ番号入力部７０１により設定されたページについて、ユーザーに箔のコーティングパターンを入力させる。ユーザーは、箔オブジェクトごとに異なるコーティングパターンを設定でき、箔の形状とは異なる形状のトナー層が形成されうる。
【０１５５】
入力画面７００において、「ＯＫ」７０４が押された場合、設定が入力され、入力画面７００が消去される。また、「キャンセル」７０５が押された場合、設定がキャンセルされ、入力画面７００が消去される。
【０１５６】
コーティングパターンがユーザーによって指定されている場合（ステップＳ５０５：ＹＥＳ）、コーティングパターンをユーザーが指定したパターンに設定する（ステップＳ５０６）。一方、コーティングパターンがユーザーによって指定されていない場合（ステップＳ５０５：ＮＯ）、コーティングパターンをデフォルトのパターンに指定する（ステップＳ５０７）。
【０１５７】
次に、箔の表面積が大きいか否かを判断する（ステップＳ５０８）。制御部３８０は、箔の表面積が所定の第２面積よりも大きい場合（ステップＳ５０８：ＹＥＳ）、箔表面の中央部を除くエッジ部から用紙Ｓの表面にかけてコーティングするように設定する（ステップＳ５０９）。制御部３８０は、箔の表面積が所定の第２面積よりも大きい場合、箔表面のエッジ部から用紙Ｓの表面にかけてコーティングするだけでも用紙Ｓに対する箔の接着強度が十分にあると判断する。所定の第２面積は、所定の第１面積よりも大きい。
【０１５８】
一方、箔の表面積が所定の第２面積以下である場合（ステップＳ５０８：ＮＯ）、箔の表面と箔の周囲における用紙Ｓの表面とをコーティングするように設定する（ステップＳ５１０）。
【０１５９】
次に、すべての箔についてコーティングの条件を取得したか否かを判断する（ステップＳ５１１）。すべての箔についてコーティングの条件を取得していない場合（ステップＳ５１１：ＮＯ）、制御部３８０は、ステップＳ５０１の処理に移行する。
【０１６０】
一方、すべての箔についてコーティングの条件を取得した場合（ステップＳ５１１：ＹＥＳ）、制御部３８０は、図８のフローチャートの処理に戻る（リターン）。
【０１６１】
なお、ステップＳ１０８〜ステップＳ１１１の処理については、上述したとおりであるので、処理手順についての説明を省略する。
【０１６２】
＜コーティングの実施例＞
図２２Ａは「全選択モード」において用紙Ｓ上のすべての箔をコーティングした場合の印刷結果を例示する模式図であり、図２２Ｂは図２２ＡのＡ部を部分的に拡大して示した模式図である。また、図２２Ｃは図２２ＢのＹ方向から見た側面図であり、図２２Ｄは図２２ＢのＺ方向から見た側面図である。
【０１６３】
図２２Ａに示すように、コーティングパターンがデフォルトに設定されている場合、用紙Ｓ上の箔Ｆ１〜箔Ｆ５はすべてデフォルトのコーティングパターンでコーティングされる。また、箔Ｆ１〜箔Ｆ５について、各々の箔の表面と箔の周囲における用紙Ｓの表面とがコーティングされる。
【０１６４】
図２２Ｂに示すように、たとえばコーティング範囲がデフォルトに設定されている場合、箔Ｆ５の表面と箔Ｆ５の外縁から１ｍｍの範囲における用紙Ｓの表面とがクリアトナーのトナー層ＴＬによりコーティングされる。箔Ｆ１〜箔Ｆ１についても箔Ｆ５と同様にコーティングされる。
【０１６５】
図２２Ｃおよび図２２Ｄに示すように、箔Ｆ５の表面と用紙Ｓの表面とに跨るようにコーティングが実施されている。したがって、箔Ｆ５と用紙Ｓとの間の接着強度にトナー層ＴＬと用紙Ｓとの間の接着力が加わるため、箔Ｆ５が用紙Ｓから剥がれにくくなる。箔Ｆ１〜箔Ｆ１についても箔Ｆ５と同様に剥がれにくくなる。
【０１６６】
図２３は、「ユーザー選択モード」において用紙Ｓ上の箔をコーティングした場合の印刷結果を例示する模式図である。ユーザーが選択した箔Ｆ２および箔Ｆ４が、それぞれトナー層ＴＬ２およびトナー層ＴＬ４によりコーティングされている場合について例示されている。
【０１６７】
図２４は、用紙Ｓの種類および周辺環境に応じて、コーティングする範囲を調整した場合の印刷結果を例示する模式図である。たとえば箔Ｆ２〜箔Ｆ４の周囲の用紙Ｓの表面について、デフォルトの範囲よりも広めにコーティングされている。
【０１６８】
図２５は、デフォルト以外のコーティングパターンを例示する模式図である。箔Ｆ１および箔Ｆ５に対しては、デフォルトのコーティングパターンとし、箔Ｆ２〜箔Ｆ４に対しては、それぞれ、ひし形、矩形および星形のコーティングパターンとする例が示されている。コーティングパターンは、このほか三角形、多角形、円形、楕円形など任意の形状でありうる。
【０１６９】
図２６は、箔表面のエッジ部から用紙Ｓの表面にかけてコーティングする場合について例示する模式図である。箔Ｆ１〜箔Ｆ４については、箔の表面積が所定の第２面積以下であるので、箔の表面と箔の周囲における用紙Ｓの表面をコーティングする。一方、箔Ｆ５については、箔の表面積が所定の第２面積よりも大きいので、箔表面の中央部を除くエッジ部Ｅから用紙Ｓの表面にかけてコーティングする。
【０１７０】
以上で説明した本実施形態の画像形成システム１００は、下記の効果を奏する。
【０１７１】
（ａ）用紙Ｓから剥がれ易いと推定される箔がクリアトナーによりコーティングされるので、箔が用紙Ｓから剥がれることを防止または抑制できる。
【０１７２】
（ｂ）接着用トナーにより用紙Ｓに箔を接着するので、画像形成部３７０の構成を利用して用紙Ｓ上に接着用トナーによるトナー像（箔押し用画像）を形成できる。
【０１７３】
（ｃ）箔の表面と用紙Ｓの表面とに跨るように箔がコーティングされるので、用紙Ｓに対する箔の接着強度を補強できる。
【０１７４】
（ｄ）接着状況として、箔の表面積に基づいて、用紙Ｓに対する箔の接着強度が推定されるので、表面積が小さく、剥がれ易い箔を確実にコーティングできる。
【０１７５】
（ｅ）接着状況として、箔の幅に基づいて、用紙Ｓに対する箔の接着強度が推定されるので、幅が細く、剥がれ易い箔を確実にコーティングできる。
【０１７６】
（ｆ）接着状況として、用紙Ｓの種類に基づいて、用紙Ｓに対する箔の接着強度が推定されるので、箔のコーティングが必要な用紙Ｓを使用する場合に箔を確実にコーティングできる。
【０１７７】
（ｇ）接着状況として、用紙Ｓの周辺環境に基づいて、用紙Ｓに対する箔の接着強度が推定されるので、用紙Ｓの周辺環境に応じて箔を確実にコーティングできる。
【０１７８】
（ｈ）接着状況として、用紙Ｓに対する後処理の内容に基づいて、用紙Ｓに対する箔の剥がれ易さが推定されるので、後処理の内容に応じて箔を確実にコーティングできる。
【０１７９】
（ｉ）箔の表面を含む用紙Ｓをコーティングする範囲をユーザーが設定できるので、ユーザーの意向に沿った範囲に設定できる。
【０１８０】
（ｊ）箔の表面をコーティングするか否かをユーザーが設定できるので、コーティングの実施または不実施をユーザーが自由に設定できる。
【０１８１】
（ｋ）ユーザーが、用紙Ｓ内における箔の表面の光沢を合せるように設定できるので、用紙Ｓの見栄えを良くすることができる。
【０１８２】
（ｌ）用紙Ｓの種類および周辺環境に応じて、箔の表面を含む用紙Ｓをコーティングする範囲が調整されるので、箔の表面を含む用紙Ｓをコーティングする範囲がより適切に設定される。
【０１８３】
（ｍ）箔の種類に応じて、箔の表面をコーティングするか否かが判断されるので、手触りの良さを特徴としている箔の手触りの良さが損なわれることを防止できる。
【０１８４】
（ｎ）箔のコーティングが必要な位置と印刷画像の印刷位置とが重なる場合、印刷画像の印刷位置にはコーティングが実施されないので、印刷画像を確実に印刷できる。
【０１８５】
（ｏ）箔を含む用紙Ｓ上にクリアトナーのトナー層を形成する位置が補正されるので、より正確な位置にクリアトナーのトナー層を形成して箔をコーティングできる。
【０１８６】
（ｐ）ユーザーは、形状の異なる様々なコーティングパターンを使用できるので、箔を装飾しつつコーティングできる。
【０１８７】
（ｑ）箔の表面の中心部を除いたエッジ部から用紙Ｓの表面にかけてコーティングするので、箔の表面積が大きい場合、箔と用紙Ｓとの接着力を維持しつつ、クリアトナーの大量消費を抑制できる。
【０１８８】
以上のように、実施形態において、本発明の画像形成システムおよび制御プログラムについて説明した。しかしながら、本発明は、その技術思想の範囲内において当業者が適宜に追加、変形、および省略することができることはいうまでもない。
【０１８９】
たとえば、上述の実施形態では、給紙装置から用紙を供給する場合を例示して説明した。しかしながら、本発明は給紙装置から用紙を供給する場合に限定されず、画像形成装置の給紙部から用紙を供給するように構成することもできる。
【０１９０】
また、制御プログラムは、ＵＳＢメモリー、フレキシブルディスク、ＣＤ−ＲＯＭなどのコンピューター読み取り可能な記録媒体によって提供されてもよいし、インターネットなどのネットワークを介してオンラインで提供されてもよい。この場合、コンピューター読み取り可能な記録媒体に記録されたプログラムは、通常、記憶部や記憶装置などに転送され記憶される。また、この制御プログラムは、たとえば、単独のアプリケーションソフトとして提供されてもよいし、画像形成装置の一機能としてその各装置のソフトウェアに組み込んでもよい。
【符号の説明】
【０１９１】
１００  画像形成システム、
２００  給紙装置、
３００  画像形成装置、
３１０  画像読取部、
３２０  画像処理部、
３３０  給紙部、
３４０  用紙搬送部、
３５０  操作パネル、
３６０  通信部、
３７０  画像形成部、
３８０  制御部、
３８１  コーティング実施設定部、
３８２  コーティング実施判断部、
３８３  位置ずれ補正部、
３８４  接着状況推定部、
３８５  コーティング要否判断部、
３８６  コーティング条件設定部、
３８７  コーティング範囲変更部、
３８８  コーティング除外部、
３９０  記憶部、
３９１  制御プログラム、
４００  箔押し装置、
５００  後処理装置。
【図１】
2019025688.tif 000003
【図２】
2019025688.tif 000004
【図３】
2019025688.tif 000005
【図４】
2019025688.tif 000006
【図５】
2019025688.tif 000007
【図６】
2019025688.tif 000008
【図７】
2019025688.tif 000009
【図８】
2019025688.tif 000010
【図９】
2019025688.tif 000011
【図１０】
2019025688.tif 000012
【図１１】
2019025688.tif 000013
【図１２】
2019025688.tif 000014
【図１３】
2019025688.tif 000015
【図１４Ａ】
2019025688.tif 000016
【図１４Ｂ】
2019025688.tif 000017
【図１５Ａ】
2019025688.tif 000018
【図１５Ｂ】
2019025688.tif 000019
【図１６】
2019025688.tif 000020
【図１７】
2019025688.tif 000021
【図１８Ａ】
2019025688.tif 000022
【図１８Ｂ】
2019025688.tif 000023
【図１９】
2019025688.tif 000024
【図２０】
2019025688.tif 000025
【図２１】
2019025688.tif 000026
【図２２Ａ】
2019025688.tif 000027
【図２２Ｂ】
2019025688.tif 000028
【図２２Ｃ】
2019025688.tif 000029
【図２２Ｄ】
2019025688.tif 000030
【図２３】
2019025688.tif 000031
【図２４】
2019025688.tif 000032
【図２５】
2019025688.tif 000033
【図２６】
2019025688.tif 000034